(57)【特許請求の範囲】
【請求項１】
進化型万国地上波電波アクセス・ネットワーク（eUTRAN）と通信するよう構成されたユーザー装置（UE）であって：
プロセッサと、
前記プロセッサと結合されたメモリとを有し、前記メモリは命令を記憶しており、前記命令は、前記プロセッサによって実行されたときに、当該UEに、
eUTRANノードB（eNB）がサービス品質（QoS）クラス識別子（QCI）内スケジューリングをサポートすることを示すeNBからの第一の電波資源制御（RRC）メッセージを受信する段階と；
QCI内スケジューリングがアクティブ化されるべきであることを示す第二のRRCメッセージをeNBに送信する段階であって、前記第二のRRCメッセージは、トラフィックを分類するためのいくつかのフローおよび各フローについてのQoSパラメータを示し、前記第二のRRCメッセージは、各QoSパラメータの優先度の指示を含み、段階と；
データを送信および受信する段階であって、複数のパケットが前記QoSパラメータに基づいてかつ各QoSパラメータの優先度に基づいてスケジューリングされ、前記複数のパケットは前記データの少なくとも一部を含む、段階とを実行させるものである、
UE。
【請求項２】
前記第二のRRCメッセージが、QCI内スケジューリングが適用されるべきQCIの指示を含む、請求項１記載のUE。
【請求項３】
前記第一のRRCメッセージはさらに、QCI内スケジューリングが当該UEによって要求されうるベアラーのQCIを示し；
前記命令は、前記プロセッサによって実行されたときに、当該UEに、
前記第一のRRCメッセージによって示されたベアラーから少なくとも一つのベアラーを選択し；
前記少なくとも一つの選択されたベアラー内でトラフィックを分類するための前記いくつかのフローおよび各フローについてのQoSパラメータを選択することを実行させるための命令を含む、
請求項１記載のUE。
【請求項４】
前記第二のRRCメッセージが、スケジューリングが適用されるべきトラフィック方向の指示を含み、スケジューリングされる前記複数のパケットはそのトラフィック方向に通信された、請求項１記載のUE。
【請求項５】
前記第二のRRCメッセージが各フローの分類情報および優先度の指示を含み、前記分類情報は、前記トラフィックを前記フローに分類するために使われ、前記複数のパケットは各フローの優先度に基づいてスケジューリングされる、請求項１記載のUE。
【請求項６】
前記命令は、前記プロセッサによって実行されるとき、当該UEに、前記QoSパラメータの一つまたは複数を更新する第三のメッセージをeNBに送信させる、請求項１記載のUE。
【請求項７】
前記命令は、前記プロセッサによって実行されるとき、当該UEに、QCI内スケジューリングが非アクティブ化されるべきであることを示す第三のメッセージをeNBに送信させる、請求項１記載のUE。
【請求項８】
送信機および受信機コンポーネントを含むトランシーバと；
複数のアンテナであって、前記複数のアンテナの第一のアンテナは前記送信機に結合されており、前記複数のアンテナの第二のアンテナは前記受信機に結合されている、アンテナと；
表示タッチスクリーンと；
キーボードとをさらに有する、
請求項１記載のUE。
【請求項９】
サービス品質（QoS）クラス識別子（QCI）内資源割り当てをサポートする方法であって：
基地局において、モバイル・ユーザー装置から制御メッセージを受信する段階であって、前記モバイル・ユーザー装置からの前記制御メッセージは、QCI内資源割り当てがアクティブ化されるべきであることを示し、前記モバイル・ユーザー装置からの前記制御メッセージは：
QCI内資源割り当てが適用されるべきQCIの指示、
前記QCIにおける複数のフローについての分類情報および
各フローについてのQoSパラメータおよび各QoSパラメータの優先度を含む、段階と；
基地局が、複数のパケットのそれぞれを前記複数のフローのうちのどれに分類するかを、前記分類情報に基づいて同定する段階と；
前記QoSパラメータおよび各パケットがどのフローに分類されたかに基づいて、前記複数のパケットをスケジューリングする段階とを含み、
前記複数のパケットをスケジューリングすることは、まず最高の優先度のQoSパラメータを満足させるよう試み、最後に最低の優先度のQoSパラメータを満足させるよう試みることを含む、
方法。
【請求項１０】
基地局によって、制御メッセージを前記モバイル・ユーザー装置に送信する段階をさらに含み、前記モバイル・ユーザー装置への前記制御メッセージは、基地局がQCI内資源割り当てをサポートすることを示す、請求項９記載の方法。
【請求項１１】
前記制御メッセージはさらに、QCI内資源割り当てが前記モバイル・ユーザー装置によって要求されうるベアラーのQCIを示し；
前記QCI内資源割り当てが適用されるべきQCIの指示は、前記制御メッセージによって示されるQCIのうちから前記モバイル・ユーザー装置によって選択された少なくとも一つのQCIの指示であり、
前記分類情報および前記複数のフローは前記モバイル・ユーザー装置によって選択されたものであり、
前記QoSパラメータは前記モバイル・ユーザー装置によって選択されたものである、
請求項１０記載の方法。
【請求項１２】
スケジューリングが、最低優先度のQoSパラメータを満足させることなく、最高の優先度のQoSパラメータを満足させることを含む、請求項９記載の方法。
【請求項１３】
前記モバイル・ユーザー装置からの前記制御メッセージが、各フローの優先度の指示を含み、前記複数のパケットをスケジューリングすることが、高優先度のフロー内のパケットを優先させることを含む、請求項９記載の方法。
【請求項１４】
前記モバイル・ユーザー装置からの前記制御メッセージが、トラフィック方向の指示を含み、スケジュールされる前記複数のパケットはそのトラフィック方向に進むものである、請求項９記載の方法。
【請求項１５】
追加的な制御メッセージを受領する段階をさらに含み、前記追加的な制御メッセージは、複数の更新されたフローについての更新された分類情報を含み、当該方法は、複数の追加的なパケットを前記複数の更新されたフローのどれに分類するかを同定する段階をさらに含む、請求項９記載の方法。
【請求項１６】
追加的な制御メッセージを受領する段階をさらに含み、前記追加的な制御メッセージは、各フローについての更新されたQoSパラメータを含み、当該方法は、更新されたQoSパラメータに基づいて複数の追加的なパケットをスケジューリングする段階をさらに含む、請求項９記載の方法。
【請求項１７】
追加的な制御メッセージを受領する段階をさらに含み、前記追加的な制御メッセージは、QCI内資源割り当てが非アクティブ化されるべきであることを示し、当該方法は、デフォルトのスケジューリング・アルゴリズムに従って複数の追加的なパケットをスケジューリングする段階をさらに含む、請求項９記載の方法。
【請求項１８】
進化型万国地上波電波アクセス・ネットワーク（eUTRAN）と通信するよう構成されたユーザー装置（UE）の動作方法であって：
eUTRANノードB（eNB）がサービス品質（QoS）クラス識別子（QCI）内スケジューリングをサポートすることを示すeNBからの第一の電波資源制御（RRC）メッセージを受信する段階と；
QCI内スケジューリングがアクティブ化されるべきであることを示す第二のRRCメッセージをeNBに送信する段階であって、前記第二のRRCメッセージは、トラフィックを分類するためのいくつかのフローおよび各フローについてのQoSパラメータを示し、前記第二のRRCメッセージは、各QoSパラメータの優先度の指示を含み、段階と；
データを送信および受信する段階であって、複数のパケットが前記QoSパラメータに基づいてかつ各QoSパラメータの優先度に基づいてスケジューリングされ、前記複数のパケットは前記データの少なくとも一部を含む、段階とを含む、
方法。
【請求項１９】
前記第二のRRCメッセージが、QCI内スケジューリングが適用されるべきQCIの指示を含む、請求項１８記載の方法。
【請求項２０】
前記第一のRRCメッセージはさらに、QCI内スケジューリングが前記UEによって要求されうるベアラーのQCIを示し；
当該方法は、
前記第一のRRCメッセージによって示されたベアラーから少なくとも一つのベアラーを選択する段階と；
前記少なくとも一つの選択されたベアラー内でトラフィックを分類するための前記いくつかのフローおよび各フローについてのQoSパラメータを選択する段階とをさらに含む、
請求項１８記載の方法。
【請求項２１】
前記第二のRRCメッセージが、スケジューリングが適用されるべきトラフィック方向の指示を含み、スケジューリングされる前記複数のパケットはそのトラフィック方向に通信された、請求項１８記載の方法。
【請求項２２】
前記第二のRRCメッセージが各フローの分類情報および優先度の指示を含み、前記分類情報は、前記トラフィックを前記フローに分類するために使われ、前記複数のパケットは各フローの優先度に基づいてスケジューリングされる、請求項１８記載の方法。
【請求項２３】
前記QoSパラメータの一つまたは複数を更新する第三のメッセージをeNBに送信する段階をさらに含む、請求項１８記載の方法。

【発明の詳細な説明】
【技術分野】
【０００１】
本開示は、一つまたは複数の装置と基地局との間での、QCI内の（intra-QCI）QoSを意識する（QoS-aware）通信に関する。
【図面の簡単な説明】
【０００２】
【図１】UEをインターネットに通信上結合するためのシステムの概略図である。
【図２】複数のベアラーを使ってUEをインターネットに通信上結合するためのシステムの概略図である。
【図３】QCI内のQoSを意識するスケジューリングを提供するときに利用されうる一組の情報の概略図である。
【図４】QCI内のQoSを意識するスケジューリングを確立し、維持するためのUEとeNBとの間の複数の通信の概略図である。
【図５】リモート装置上でQCI内のQoSを意識するスケジューリングを確立、更新および非アクティブ化するための方法の流れ図である。
【図６】リモート装置によって指揮されるようにQCI内のQoSを意識するスケジューリングを確立、更新および非アクティブ化する方法の流れ図である。
【図７】QCI内のQoSを意識する電波資源割り当てをサポートできるUEの概略図である。
【発明を実施するための形態】
【０００３】
無線モバイル通信技術は、基地局と無線通信装置との間でデータを伝送するためにさまざまな規格およびプロトコルを使う。無線通信システム規格およびプロトコルは、たとえば、第三世代パートナーシップ・プロジェクト（3GPP）ロングタームエボリューション（LTE）；業界グループにはマイクロ波アクセスのための世界規模相互運用性（WiMAX）として一般に知られる米国電気電子技術者協会（IEEE）802.16規格；業界グループにはWi-Fiとして一般に知られるIEEE802.11規格を含みうる。LTEシステムにおける3GPP電波アクセス・ネットワーク（RAN）では、基地局は進化型万国地上波電波アクセス・ネットワーク（E-UTRAN）のノードB（一般に進化型ノードB、向上ノードB、eノードBまたはeNBとも記される）および／またはE-UTRANにおける電波ネットワーク・コントローラ（RNC）を含んでいてもよく、これらはユーザー装置（UE）としても知られる無線通信装置と通信する。進化型パケット・コア（EPC:  evolved  packet  core）がE-UTRANをインターネットのような外部ネットワークに通信上結合してもよい。
【０００４】
LTEネットワークは、高いデータ・レート、低いレイテンシー、パケット最適化および改善されたシステム容量およびカバー範囲を提供する、電波アクセス技術およびコア電波ネットワーク・アーキテクチャーを含む。LTEネットワークでは、E-UTRANは複数のeノードBを含んでいてもよく、複数のUEと通信してもよい。LTEネットワークにおける下りリンク（DL）伝送は、eノードBからUEへの通信として定義でき、上りリンク（UL）伝送はUEからeノードBへの通信として定義できる。
【０００５】
UEがE-UTRANに通信上結合するとき、UEについて進化型パケット・システム（EPS:  evolved  packet  system）ベアラーが確立されてもよい。EPSベアラーは、UEとパケット・ゲートウェイ（P-GW:  packet  gateway）との間の仮想的な結合であってもよく、追加的なベアラー（たとえばE-UTRAN電波アクセス・ベアラー（E-RAB）、電波ベアラー、S1ベアラー、S5/S8ベアラーなど）から構成されていてもよい。EPSベアラーは、保証されるサービス品質（QoS）を含みうる。たとえば、各EPSベアラーは、QoSクラス識別子（QCI:  QoS  class  identifier）と関連付けられてもよく、各QCIはあらかじめ定義されたQoSパラメータと関連付けられてもよい。QCI  QoSパラメータは優先度、パケット遅延予算、パケット誤り／損失率、資源型、ビットレートが保証されるかどうかおよび／またはその他を含みうる。異なるEPSベアラーからのデータ・パケットは、各EPSベアラーに関連付けられたQCIに基づいて異なる仕方で扱われてもよいが、EPSベアラー内のトラフィックは同等に扱われうる。
【０００６】
UEは、サードパーティーのアプリケーションを含め多くの異なるアプリケーションを走らせていることがあるが、これらのアプリケーションからのすべてのトラフィックは同じベアラーに割り当てられることがある。たとえば、QCI「9」が、サードパーティーのアプリケーションのような非特権加入者についてのデフォルト・ベアラーであってもよい。サードパーティーのアプリケーションからのデータは、デフォルト・ベアラーを使ってオーバーザトップで（OTT:  Over-The-Top）送達されてもよい。時に、データは暗号化されることがあり、よってE-UTRANおよび／またはEPCは、通信されるパケットの内容を判別できないことさえある。アプリケーションは異なるQoS要求をもっていても、同じQoS扱いを受けることがある。たとえば、スカイプ、フェイスタイム、グーグル・ハングアウトなどといったリアルタイム・アプリケーションは、非リアルタイム・アプリケーション（たとえばウェブ・ブラウズなど）、バックグラウンド・アプリケーション（たとえば更新など）および／またはその他とは、異なるQoS要求（たとえば遅延、スループット、パケット損失など）をもつことがある。このように、UE上のサードパーティーのアプリケーションは理想的でないパフォーマンスを経験することがある。よって、単一のQCIに関連付けられた同じベアラー内の異なるサービス（たとえば異なるOTTアプリケーション）のためのパケットに異なるQoS扱いを提供するためのシステムおよび方法が必要とされている。
【０００７】
ある実施形態では、データのQCI内分類により、eNBおよび／またはUEが、単一のQCIをもつ同じベアラー内のパケットに異なるQOS扱いを提供できるようになる。データは、それぞれ関連付けられたQoSパラメータをもつ複数のフローに分類されうる。eNBおよび／またはUEは、各フローに、QoSパラメータによって指定されるQoS扱いを提供しうる。リアルタイム・フローは、より低いパケット損失を要求するがより大きな遅延を受け入れることができる非リアルタイム・フローより、小さな遅延だがより高いパケット損失を受けてもよい。UEにとってある種のフローがより重要またはより重要でないことがあり、よってQoSパラメータはフローについての優先度を指定してもよい。より高い優先度のフローからのパケットは、より低い優先度のフローからのパケットより、よい扱いを受けてもよい。QCI内QoSパラメータに基づくスケジューリングは、いくつかの実施形態では、他のQCIに関連付けられたパケットのスケジューリングおよび／または他のUEについてのスケジューリングには影響しなくてもよい。
【０００８】
QCI内のQoSを意識するスケジューリングは、QCI内のスケジューリングをサポートしない規格およびプロトコルと相互運用可能であるよう設計されたシステムにおいて実装されてもよい。そこで、QCI内のQoSを意識するスケジューリングをサポートするeNBは、QCI内のQoSを意識するスケジューリングがサポートされることを示す電波資源制御（RRC:  radio  resource  control）メッセージを送信してもよい。eNBはある種のQCIについてのみQCI内のQoSを意識するスケジューリングをサポートしてもよく、よってeNBは、どのQCIについて、QCI内のQoSを意識するスケジューリングがサポートされるかを示してもよい。UEはそのRRCメッセージを受信してもよい。UEがQCI内のQoSを意識するスケジューリングをサポートしない場合、RRCメッセージを破棄してもよい。UEがQCI内のQoSを意識するスケジューリングをサポートする場合、QCI内のQoSを意識するスケジューリングがアクティブ化されることを望むか否かを決定してもよい。
【０００９】
QCI内のQoSを意識するスケジューリングをアクティブ化するために、UEはRRCメッセージをeNBに送信して、QCI内のQoSを意識するスケジューリングがアクティブ化されるべきであることを示してもよい。UEからのRRCメッセージは、さまざまな情報を含みうる。たとえば、該RRCメッセージは、どのトラフィックがQCI内のQoSを意識するスケジューリングを受けるべきかを示してもよい。該RRCメッセージは、ULトラフィック、DLトラフィックまたは両方がQCI内のQoSを意識するスケジューリングを受けるべきかどうかを示してもよい。該RRCメッセージは、QCI内のQoSを意識するスケジューリングを受けるベアラーの数を示してもよく、各ベアラーを、たとえばそのベアラーのQCIを使って、同定してもよい。該RRCメッセージは、何個のフローがあるかおよび／または各フローを同定するための分類情報をも示してもよい。分類情報は、インターネット・プロトコル（IP）アドレス、ポート番号、プロトコル型および／またはその他を含んでいてもよく、および／または分類情報を使って分類できないパケットについてのデフォルト・フローがあってもよい。該RRCメッセージは、各フローの優先度を、たとえば一つまたは複数の整数を使って、示してもよい。優先度は、どのフロー（単数または複数）がUEにとってより重要であり、よって、スケジューリングの間によりよい扱いを受けるべきであるかを示してもよい。
【００１０】
RRCメッセージは、各フローについてQoSパラメータを含んでいてもよく、フロー毎のQoSパラメータの数を示してもよい。各QoSパラメータについて、型、値および優先度が示されてもよい。型は、どのパラメータが指定されているのかを示してもよい。型は、認容可能な遅延、最小スループット、最大パケット損失率および／またはその他を含みうる。値は、示されるパラメータ型についての限界、たとえば10msの遅延、10kBpsのスループット、1%のパケット損失率および／またはその他を示してもよい。単位は前提とされていてもよいし、および／またはRRCメッセージにおいて示されてもよい。特殊な値（たとえば0、−1など）により、その型が明示的な限界をもたないことを示してもよい。優先度は、どの型のQoSパラメータがUEにとってとても重要であるかを示してもよい。eNBおよび／またはUEは、いくつかの状況では、すべての型のQoSパラメータを満足させることはできないことがある。そのような状況では、eNBおよび／またはUEは、より低い優先度の型を犠牲にしてより高い優先度の型のQoSパラメータを満たそうと試みてもよい。したがって、QoSパラメータ優先度により、UEはeNBに、どんな型の扱いがユーザーに対して最良の経験を与えるかを示せるのである。フロー間のトレードオフに加えて、および／またはフロー間のトレードオフの代わりに、種々の型のQoSパラメータの間のトレードオフが実行されてもよい（たとえば、同じEPSベアラー内の他のフローに影響することなくより重要なQoSパラメータを満たすために、それほど重要でないQoSパラメータが犠牲にされてもよい）。
【００１１】
該RRCメッセージを受領することに応答して、eNBはQCI内のQoSを意識するスケジューリングをアクティブ化してもよい。代替的または追加的に、UEは、RRCメッセージを送信後、受け取り確認を受信後および／またはRRCメッセージを送信することなく、QCI内のQoSを意識するスケジューリングをアクティブ化してもよい。eNBおよび／またはUEは分類情報を使って各パケットがどのフローに割り当てられるべきかを同定してもよい。eNBおよび／またはUEは、そのフローに基づいて、そのフローについてのQoSパラメータのできるだけ多くを満足させるよう、パケットをスケジューリングしてもよい。いくつかの実施形態では、スケジューリングは、完全にeNBによって実行されてもよく、よってUEはどのアルゴリズムが使われているかを意識する必要がなくてもよい。UEは、UEの設計に対するいかなる込み入った変更もなしに、さまざまな異なるアルゴリズムを実装するeNBと通信できる。たとえば、さまざまなeNBプロバイダーは独自のスケジューリング・アルゴリズムを使ってもよい。スケジューリングされたパケットはeNBによって送信され、UEによって受信されてもよく、および／または逆にUEによって送信され、eNBによって受信されてもよい。
【００１２】
UE上で走るアプリケーションは時間とともに変わることがある。一つまたは複数のフローがトラフィックを受けることを止めてもよく、および／または対応するフローのない新たなトラフィックが始まってもよい（たとえば、UE上で新たなアプリケーションが起動されてもよい）。そのような変化に対応するために、UEは、更新されたQCI内のQoSを意識するスケジューリングの情報をもつRRCメッセージを、eNBに送ってもよい。該RRCメッセージは該更新された情報のみを含んでいてもよく、および／または完全なセットの情報を含んでいてもよい。QCI内のQoSを意識するスケジューリングの情報への更新をもつRRCメッセージは定期的に（たとえば、変化が生じたかどうかに関わりなく）、変化が生じたことを判別することに応答して、および／またはその他で送信されてもよい。eNBが更新されたQCI内のQoSを意識するスケジューリングの情報を受信したのち、eNBおよび／またはUEは、更新された情報に基づいてパケットをスケジューリングしてもよい。代替的または追加的に、UEは、更新された情報をeNBに送信することなく、更新されたQCI内のQoSを意識するスケジューリングの情報に従ってパケットをスケジューリングしてもよい。UEは、たとえばユーザーが一つまたは複数のアプリケーションを閉じたため、QCI内のQoSを意識するスケジューリングを非アクティブ化することを望むことがありうる。そうするために、UEは、RRCメッセージをeNBに送信して、QCI内のQoSを意識するスケジューリングが非アクティブ化されるべきであることを示してもよい。応答して、eNBおよび／またはUEは、QCI内のQoSを意識するスケジューリングを非アクティブ化してもよく、デフォルトのスケジューリング方法に従ってパケットをスケジューリングすることに戻ってもよい。RRCメッセージは、いくつかの実施形態では、全フローより少ないフローを非アクティブ化してもよく、および／またはQCI内のQoSを意識するスケジューリングを完全に非アクティブ化してもよい。デフォルトのスケジューリング方法は、先入れ先出し（FIFO）アルゴリズムおよび／またはQCI内トラフィックを同等に扱う他のアルゴリズムであってもよい。
【００１３】
図１は、UE  １１０をインターネット１５０に通信上結合するためのシステム１００の概略図である。eNB  １２０は、UE  １１０と無線で通信上結合されてもよい。これにより、インターネットに通信上結合されたままでありながら、ユーザーによるUE  １１０のモバイル使用が許容される。eNB  １２０はスイッチング・ゲートウェイ（S-GW:  switching  gateway）１３０に通信上結合されていてもよく、S-GW  １３０はP-GW  １４０に通信上結合されていてもよい。P-GW  １４０はインターネット１５０に通信上結合されていてもよい。S-GW  １３０およびP-GW  １４０は、eNB  １２０からのパケットをインターネット１５０にルーティングすることおよび／または逆にインターネット１５０からのパケットをeNB  １２０にルーティングすることを受け持ってもよい。EPSベアラー（図示せず）がUE  １１０とP-GW  １４０の間に確立されてもよい。EPSベアラーは、UE  １１０とP-GW  １４０の間で搬送されるパケットについてあるQoSを保証してもよい。
【００１４】
UE  １１０はスマートフォン、タブレット、ラップトップまたはパーソナル・コンピュータに結合されたモデムおよび／またはその他であってもよい。コンピュータ・プログラム、モバイル・アプリケーションおよび／またはその他のようなさまざまなアプリケーションがUE  １１０上で実行されてもよい。さまざまなアプリケーションが、eNB  １２０、S-GW  １３０および／またはP-GW  １４０を通じてインターネット１５０と通信してもよい。UE  １１０はアプリケーションをEPSベアラーに割り当ててもよい。アプリケーションのいくつかはサードパーティーのアプリケーションであってもよく、デフォルトのEPSベアラーに割り当てられてもよい。EPSベアラーは、パケットがアプリケーションからインターネットにおよびその逆に正しくルーティングされ、あらかじめ定義されたQoS扱いを受けることを保証する仮想的な概念であってもよい。たとえば、eNB  １２０、S-GW  １３０および／またはP-GW  １４０は、パケットが関連付けられている特定のEPSベアラーに基づいて、パケットをスケジューリングしてもよい。
【００１５】
図２は、複数のベアラー２１１、２１２、２１５を使ってUE  ２１０をインターネット２５０に通信上結合するためのシステム２００の概略図である。UE  ２１０が（たとえばeNB  ２２０に結合することによって）E-UTRANと通信上結合するとき、デフォルトのEPSベアラー２１１がUE  ２１０とP-GW  ２４０の間に確立されてもよい。ある実施形態では、デフォルトのベアラー２１１は信号伝達メッセージ（たとえば、セッション開始プロトコル（SIP:  Session  Initiation  Protocol）の信号伝達メッセージ）を搬送するよう構成されてもよい。信号伝達メッセージのためのデフォルト・ベアラー２１１は、デフォルト・ベアラー２１１に関連付けられたQCIに基づくあらかじめ定義されたQoS扱いを受けてもよい。たとえば、デフォルト・ベアラー２１１は、低遅延および小さなパケット損失を保証されてもよい。eNB２２０、S-GW  ２３０および／またはP-GW  ２４０が、QoS要求が満たされることを保証しうる。UE  ２１０は、専用のベアラーおよび／または追加的なデフォルト・ベアラーが確立されることを要求してもよい。声のための専用のベアラー２１２は、たとえばUE  ２１０に電話サービスを提供するために、IPを通じた音声（VoIP:  voice  over  IP）のパケットを転送するよう構成されていてもよい。専用のベアラー２１２は低い遅延を保証されてもよいが、いくつかの実施形態では、より高いパケット損失を受け入れる必要があってもよい。
【００１６】
UE  ２１０は、非特権加入者からのパケットを転送するために追加的なデフォルト・ベアラー２１５が確立されることを要求してもよい。たとえば、UE  ２１０はリアルタイム・アプリケーション２１６、非リアルタイム・アプリケーション２１７およびバックグラウンド・アプリケーション２１８のような複数のアプリケーションを走らせてもよい。複数のアプリケーション２１６〜２１８はみな、非特権加入者のためのデフォルト・ベアラー２１５を介してインターネット２５０へのアクセスを受けてもよい。QCI内のQoSを意識するスケジューリングがアクティブでないときは、複数のアプリケーション２１６〜２１８は同等のQoS扱いを受けてもよい。こうして、低いパケット遅延を要求するが低いスループットを受け入れる用意のあるアプリケーションは、高いスループットを要求するが高いパケット遅延を受け入れる用意があるアプリケーションと同じパケット遅延およびスループットを経験しうる。さらに、UE  ２１０のユーザーにとって、いくつかのアプリケーションは他のアプリケーションより重要であることがあるが、より重要なアプリケーションからのパケットが受けるQoS扱いが他に比べてちっともよくないことがある。たとえば、デフォルト・ベアラー２１５内のすべてのパケットはFIFOまたは同様の扱いを受けることがある。
【００１７】
QCI内のQoSを意識するスケジューリングがアクティブ化されたら、複数のアプリケーション２１６〜２１８からのパケットはデフォルト・ベアラー２１５内で異なるQoS扱いを受けうる。より重要なアプリケーションからのパケットはより高い優先度を受けてもよく、スケジューリングは、最も重要なQoSパラメータを、最も重要でないQoSパラメータよりも前に受け入れようと試みてもよい。代替的または追加的に、スケジューリングは、最も重要でないQoSパラメータを犠牲にしてより重要なQoSパラメータについて最適化されてもよく、同じデフォルト・ベアラー２１５を使う他のアプリケーションのパケットに影響しなくてもよい。デフォルト・ベアラー２１５内のパケットについてのQCI内スケジューリングは、いくつかの実施形態では、他のベアラー２１１、２１２および／または他のユーザーのベアラー（図示せず）内のパケットのスケジューリングに影響しなくてもよい。QCI内スケジューリングは、UE  ２１０および／またはeNB  ２２０によって実行されてもよい。いくつかの実施形態では、S-GW  ２３０、P-GW  ２４０なども、あるいはこれらが代わりに、QCI内スケジューリングを実行してもよい。たとえば、UE  ２１０がULパケットをeNB  ２２０への送信前にスケジューリングしてもよく、および／またはeNB  ２２０がDLパケットをUE  ２１０への送信前にスケジューリングしてもよい。アプリケーション２１６〜２１８の一部または全部は、送信されるパケットが経験するQoSパフォーマンスに応答してパケット送信レートを調整するよう構成されたプロトコルを使っていてもよい。あるいはまた、パケットの遅延または脱落はアプリケーション２１６〜２１８および／またはリモート接続に、パケット送信レートを調整させてもよい。これは、デフォルト・ベアラー２１５を介して通信する他のアプリケーションのパフォーマンスを改善しうる。
【００１８】
図３は、QCI内のQoSを意識するスケジューリングを提供するときに利用されうる情報のセット３００の概略図である。情報のセット３００は、QCI内のQoSを意識するスケジューリングが適用されるべきQCI  ３１０の指示を含んでいてもよい。該QCIの指示３１０は、QCIを同定する整数、QCIのテキスト同定、QCIについての一意的な識別子および／またはその他を含んでいてもよい。一つまたは二つ以上のQCIが指示されてもよく、および／または情報のセット３００はQCI内のQoSを意識するスケジューリングが適用されるQCIの数の指示を含んでいてもよい。情報のセット３００は、QCI内のQoSを意識するスケジューリングが実行されるべきトラフィック方向３２０の指示を含んでいてもよい。たとえば、ULトラフィック、DLトラフィックまたは両方向のトラフィックがスケジューリングされてもよい。図示した実施形態では、QCI  ３１０およびトラフィック方向３２０の指示は特定のフローについて示されている。代替的または追加的に、QCI内のQoSを意識するスケジューリングが適用される各QCIおよび／またはトラフィック方向について、複数のフローについての情報が示されてもよい。それらのフローは、パケットの間でどのように資源を割り当てるかを決定するための仮想的な概念であってもよい。
【００１９】
情報のセット３００は、各フローにおいてどのトラフィックが属するかを同定するための分類情報３４０を含んでいてもよい。図示した実施形態では、分類情報３４０は転送制御プロトコル（TCP）を使い、ポート100〜199上で送信されるトラフィックが当該フローに分類されるべきであることを示している。分類情報は、中でも、源または宛先IPアドレス、源または宛先ポート、プロトコル型および／またはその他を含みうる。各パケットをどのフローに分類するかを決定するために、ヘッダ情報（たとえば、IPヘッダからの情報、TCPヘッダなど）がパケットから引き出され、分類情報３４０と比較されてもよい。情報のセット３００は、各フローについての優先度情報３３０を含んでいてもよい。優先度情報３３０は、たとえば、フローの間での優先度の順序を示しうる整数を含んでいてもよい。より高い優先度をもつフローに属するパケットは、スケジューリングの間に、より低い優先度をもつフローに属するパケットより上に優先順位を付けられてもよい。代替的または追加的に、より高い優先度のフローのQoSパラメータが、より低い優先度のフローのQoSパラメータを犠牲にして満足されてもよい。
【００２０】
情報のセット３００は、フロー毎にQoSパラメータおよび／またはQoSパラメータの数を含んでいてもよい。QoSパラメータは、各QoSパラメータについて、QoS型３５０、QoS値３６０、QoS優先度３７０および／またはその他を含んでいてもよい。QoS型３５０は、QoS値３６０および／またはQoS優先度３７０がどの基準のために指定されているのかの指示を含みうる。QoS型３５０は最大認容可能遅延３５１、最小スループット３５２、最大損失率３５３および／またはその他を含みうる。QoS値３６０は、QoS型３５０によって指定された基準がその上またはその下に留まるべきであるという限界であってもよい。たとえば、最大遅延値３６１はミリ秒で指定されてもよく、最小スループット３６２はメガビット毎秒で指定されてもよく、および／または最大損失率３６３は負の十進指数（negative  decimal  exponent）として指定されてもよい。単位はあらかじめ定義されていてもよく、および／またはQoS値３６０が使用されるべき単位を指示してもよい。QoS優先度３７０は、アプリケーションにとってどのQoSパラメータが最も重要であり、どれが最も重要でないかを示してもよい。たとえば、リアルタイム・アプリケーションは最大遅延３５１に最高の優先度３７１を割り当て、最小スループット３５２に二番目に高い優先度３７２を割り当て、最大損失率３５３に最も低い優先度３７３を割り当ててもよい。あまりに大きく遅延されたパケットはリアルタイム・アプリケーションにとっては役に立たないことがあるが、リアルタイム・アプリケーションは、増大するパケット損失に応答して優雅に（gracefully）品質を劣化させることができてもよい。こうして、リアルタイム・アプリケーションは、遅延３５１よりは損失率３５３が最大値３６３より上に上昇することを許容される場合に、よりよいユーザー経験をもたらしうる。
【００２１】
図４は、QCI内のQoSを意識するスケジューリングを確立し、維持するためのUEとeNBとの間の複数の通信４００の概略図である。すべてのUEおよび／またはeNBがQCI内のQoSを意識するスケジューリングをサポートするのでないことがある。よって、eNBはUEに、該eNBがQCI内のQoSを意識するスケジューリングをサポートすることを告知４０２してもよい。告知は、複数のUEにブロードキャストされてもよく、および／または単一のUEに送信されてもよい。eNBは、さらにまたは代わりに、設定（たとえばどの設定がUEによって設定でき、どれができないか）および／または一つまたは複数の設定についての値を示してもよい。いくつかの実施形態では、eNBはサポートされるQCI内のQoSを意識するスケジューリングのバージョンを示してもよい。eNBは、QCI内のQoSを意識するスケジューリングがサポートされることになるEPSベアラー（単数または複数）のQCI（単数または複数）を示してもよい。たとえば、eNBは、信号伝達メッセージのためのデフォルト・ベアラーおよび／または声のための専用ベアラーではQCI内のQoSを意識するスケジューリングを許容しなくてもよいが、非特権加入者のためのデフォルト・ベアラーおよび／または一つまたは複数の他のベアラーではQCI内のQoSを意識するスケジューリングを許容してもよい。UEはeNB告知から、どのベアラーについてQCI内のQoSを意識するスケジューリングを要求することができ、どのベアラーについて該QCI内のQoSを意識するスケジューリングがサポートされていないかを知ることができる。
【００２２】
UEがeNBにQCI内のQoSを意識するスケジューリングを実行してほしい場合には、UEは、QCI内のQoSを意識するスケジューリングがアクティブ化されるべきであるという指示をeNBに送信４０４してもよい。UEは、QCI内のQoSを意識するスケジューリングがどのように適用されるべきかを指定しうる、QCI内のQoSを意識するスケジューリングの情報（たとえば情報のセット３００）をも提供してもよい。たとえば、QCI内のQoSを意識するスケジューリングの情報は、どのトラフィックがQCI内のQoSを意識するスケジューリングを受けるべきか（たとえばどのQCI、どのトラフィック方向など）、どのトラフィックがフロー中に分類されるべきか、どのQoSパラメータが各フローに適用されるべきかおよび／またはその他を含んでいてもよい。QCI内のQoSを意識するスケジューリングの情報は、少なくとも部分的には、eNBによる告知において示されるような、どんな情報をeNBが受け入れるかに基づいて決定されてもよい。ある実施形態では、UEは、上りリンク・トラフィックのためにQCI内のQoSを意識するスケジューリングを実行してもよい。
【００２３】
eNBは、提供されたQCI内のQoSを意識するスケジューリングの情報に従ってスケジューリングされたパケットをUEに送信してもよく、および／または逆でもよい。eNBによって使用される特定のスケジューリング・アルゴリズムは、QCI内のQoSを意識するスケジューリングの情報において指定される必要があってもよい。たとえば、eNBは、どのスケジューリング・アルゴリズムを実装するかを選択してもよい。代替的または追加的に、UEは、スケジューリング・アルゴリズムを指示できてもよい。UE上で走るアプリケーションは時間とともに変わりうる。よって、UEは、QCI内のQoSを意識するスケジューリングを変更するおよび／またはQCI内のQoSを意識するスケジューリングを非アクティブ化することを望むことがありうる。QCI内のQoSを意識するスケジューリングを変更するには、UEは、変化していない情報を含んでいてもよくおよび／または変化した情報のみを含んでいてもよい、更新されたQCI内のQoSを意識するスケジューリングの情報を送信４０６してもよい。eNBおよび／またはUEは、更新されたQCI内のQoSを意識するスケジューリングの情報に従ってスケジュールされたパケットを送信してもよい。QCI内のQoSを意識するスケジューリングを非アクティブ化するためには、UEはeNBに、QCI内のQoSを意識するスケジューリングが非アクティブ化されるべきであることを指示４０８してもよい。UEは、ある種のフローが非アクティブ化されるべきであることおよび／またはすべてのQCI内のQoSを意識するスケジューリングが非アクティブ化されるべきであることを示してもよい。eNBおよび／またはUEは、QCI内のQoSを意識するスケジューリングが非アクティブ化されるのに応答して、QCI内トラフィックを同等に扱いうるデフォルトのスケジューリング・アルゴリズムを使ってもよい。
【００２４】
図５は、リモート装置上でQCI内のQoSを意識するスケジューリングを確立、更新および非アクティブ化するための方法５００の流れ図である。方法５００は、電波ネットワーク（たとえばeNBのようなリモート装置を含む電波ネットワーク）と通信結合が確立されるときに始まってもよい。通信結合の確立の間または確立後、QCI内のQoSを意識するスケジューリングを提供するためのリモート装置の機能を告知する制御メッセージが受信５０２されてもよい。制御メッセージは、QCI内のQoSを意識するスケジューリングがアクティブ化されるために必要な、設定、バージョン情報および／またはその他といった任意の情報を含みうる。
【００２５】
QCI内のQoSを意識するスケジューリングをアクティブ化するために、QCI内のQoSを意識するスケジューリングがアクティブ化されるべきであることを示す制御メッセージがリモート装置に送信５０４されてもよい。該制御メッセージは、リモート装置がQCI内のQoSを意識するスケジューリングをどのようにセットアップすべきかを示す、QCI内のQoSを意識するスケジューリングの情報を含んでいてもよい。QCI内のQoSを意識するスケジューリングの情報は、一つまたは複数の実行中のアプリケーションについてのあらかじめ決定された仕様から、前記一つまたは複数の実行中のアプリケーションからのトラフィック履歴からおよび／またはその他から決定されてもよい。QCI内のQoSを意識するスケジューリングの情報に従ってスケジューリングされたパケットがリモート装置から受信５０６および／またはリモート装置に送信されてもよい。前記一つまたは複数の実行中のアプリケーションについてのユーザー経験は、受信されるパケットに対して実行されるQCI内のQoSを意識するスケジューリングに基づいて改善されうる。代替的または追加的に、パケットはスケジューリングのためにリモート装置に送信されてもよい。
【００２６】
時間とともに、どのアプリケーションが実行中かは変化することがありおよび／またはそれらのアプリケーションのスケジューリング・ニーズが変化することがある。QCI内のQoSを意識するスケジューリングの情報は、たとえば更新を示す制御メッセージを送信するおよび／または新たな完全なQCI内のQoSを意識するスケジューリングの情報を提供することによって、リモート装置で更新５０８されてもよい。更新されたQCI内のQoSを意識するスケジューリングの情報に従ってスケジュールされた追加的なパケットがリモート装置から受信５１０されてもよくおよび／またはリモート装置に送信されてもよい。
【００２７】
たとえばQCI内のQoSを意識するスケジューリングがもはや必要とされないおよび／または一つまたは複数のアプリケーションが閉じられたとき、QCI内のQoSを意識するスケジューリングを非アクティブ化することが望ましいこともありうる。QCI内のQoSを意識するスケジューリングはリモート装置で非アクティブ化５１２されうる。ある実施形態では、QCI内のQoSを意識するスケジューリングが非アクティブ化されるべきであることを示す制御メッセージがリモート装置に送信されてもよい。デフォルトのスケジューリング・アルゴリズムに従ってスケジューリングされていてもよいさらなる追加的なパケットが受信５１４および／または送信されてもよい。デフォルトのスケジューリング・アルゴリズムは、QCI内のQoSを意識するスケジューリングがアクティブでないときに適用されるアルゴリズムであってもよく、同じQCI内のトラフィックを同等に扱ってもよい。方法５００における一つまたは複数の工程は繰り返されてもよく、および／または該工程は図示した実施形態において示される以外の順序で実行されてもよい。方法は、電波ネットワークとの通信結合が終了されたときに終わりうる。
【００２８】
図６は、モバイル・ユーザー装置によって指揮されるようにQCI内のQoSを意識するスケジューリングを確立、更新および非アクティブ化する方法６００の流れ図である。方法６００は、モバイル・ユーザー装置（たとえばUE）と通信結合が確立されるときに始まってもよい。通信結合の確立の間または確立後、制御メッセージがモバイル・ユーザー装置に送信６０２されてもよい。制御メッセージは、当該通信結合について提供されることができるQCI内のQoSを意識するスケジューリングの機能を示してもよい。制御メッセージは、QCI内のQoSを意識するスケジューリングをアクティブ化するためにモバイル・ユーザー装置によって提供されるべき情報を示してもよい。該情報は、提供されるべき設定、バージョン情報および／またはその他を含みうる。
【００２９】
モバイル・ユーザー装置から制御メッセージが受信６０４される。制御メッセージは、QCI内のQoSを意識するスケジューリングがアクティブ化されるべきであることを示しうる。制御メッセージは、モバイル・ユーザー装置のスケジューリング選好（たとえばモバイル・ユーザー装置がどのようにトラフィックを優先順序付けしたいか）を示しうる、QCI内のQoSを意識するスケジューリングの情報を含んでいてもよい。たとえば、QCI内のQoSを意識するスケジューリングの情報は、パケットをフローに分類するための情報、フローの相対的な優先度に関する情報、各フローについてのQoSパラメータおよび／またはその他を含んでいてもよい。モバイル・ユーザー装置へのおよび／またはからのパケットは、モバイル・ユーザー装置から受信されたQCI内のQoSを意識するスケジューリングの情報に従ってスケジューリング６０６されてもよい。いくつかの実施形態では、モバイル・ユーザー装置は、パケットをスケジューリングするために使われる特定のスケジューリング・アルゴリズムを選択しなくてもよい。むしろ、モバイル・ユーザー装置は、スケジューリング・アルゴリズムがパケットの相対的な重要性を決定する（たとえば、どのパケットを優先させ、どのパケットを遅延および／または脱落させるかを決定する）ことができるもとになるパラメータを指示してもよい。スケジューリングされたパケットは、モバイル・ユーザー装置に送信されてもよく、および／またはモバイル・ユーザー装置からたとえばインターネットへの送信のために受信されてもよい。
【００３０】
更新されたQCI内のQoSを意識するスケジューリングの情報を指定する制御メッセージが時折および／または定期的にモバイル・ユーザー装置から受信６０８されてもよい。たとえば、分類情報、フローの相対的な優先度、フローについてのQoSパラメータおよび／またはその他が更新されてもよい。更新されたQCI内のQoSを意識するスケジューリングの情報は、更新されるべき情報のみを含んでいてもよく、および／またはQCI内のQoSを意識するスケジューリングの情報の完全なセットを含んでいてもよい。更新されたQCI内のQoSを意識するスケジューリングの情報に基づいて追加的なパケットがスケジューリング６１０されてもよい。たとえば、スケジューリング・アルゴリズムは、パケットをどのようにスケジューリングするかを決定するために使われるパラメータを更新してもよい。追加的なパケットは、スケジューリング後に、モバイル・ユーザー装置および／またはインターネットに送信されてもよい。
【００３１】
QCI内のQoSを意識するスケジューリングが非アクティブ化６１２されるべきであることを示す制御メッセージがモバイル・ユーザー装置から受信されてもよい。制御メッセージは、すべてのQCI内のQoSを意識するスケジューリングが非アクティブ化されるべきであること、あるQCIについてスケジューリングが非アクティブ化されるべきであること、あるフローについてスケジューリングが非アクティブ化されるべきであることおよび／またはその他を示しうる。QCI内のQoSを意識するスケジューリングが非アクティブ化されたのち、さらなる追加的なパケットがスケジューリング６１４されてもよいが、デフォルトのスケジューリング規則が使用される。デフォルトのスケジューリング規則は、同じQCI内のトラフィックを同等に扱ってもよく、同じQCI内のすべてのパケットに共通のQoSパラメータを適用してもよい。方法６００における一つまたは複数の工程は繰り返されてもよく、および／または該工程は図示した実施形態において示される以外の順序で実行されてもよい。方法は、モバイル・ユーザー装置との通信結合が終わったときに終わりうる。
【００３２】
図７は、オーディオ入力およびモバイル装置からの出力のために使用できるマイクロフォンおよび一つまたは複数のスピーカーの図示をも提供している。表示画面は、液晶ディスプレイ（LCD）画面または他の型の表示画面、たとえば有機発光ダイオード（OLED）ディスプレイであってもよい。表示画面は、タッチスクリーンとして構成されることができる。タッチスクリーンは容量性、抵抗性または他の型のタッチスクリーン技術を使ってもよい。処理および表示機能を提供するために、アプリケーション・プロセッサおよびグラフィック・プロセッサが内部メモリに結合されることができる。ユーザーに対してデータ入出力オプションを提供するために、不揮発性メモリ・ポートが使用されることもできる。該不揮発性メモリ・ポートは、モバイル装置のメモリ機能を拡張するためにも使われてもよい。追加的なユーザー入力を提供するために、キーボードがモバイル装置と統合されてもよく、あるいはモバイル装置に無線で接続されてもよい。タッチスクリーンを使って仮想キーボードも提供されてもよい。
【実施例】
【００３３】
下記の例はさらなる実施形態に関する。
【００３４】
例１は、E-UTRANと通信するよう構成されたUEである。UEは、プロセッサと、該プロセッサと結合されたメモリとを含む。メモリは命令を記憶しており、該命令は、前記プロセッサによって実行されたときに、UEに、eNBがQCI内スケジューリングをサポートすることを示すeNBからの第一のRRCメッセージを受信させる。前記命令は、前記プロセッサによって実行されたときにさらに、UEに、QCI内スケジューリングがアクティブ化されるべきであることを示す第二のRRCメッセージをeNBに送信させる。第二のRRCメッセージは、トラフィックを分類するためのいくつかのフローおよび各フローについてのQoSパラメータを示す。前記命令は、前記プロセッサによって実行されたときにさらに、UEに、データを送信および受信させる。複数のパケットがQoSパラメータに基づいてスケジューリングされる。前記複数のパケットは前記データの少なくとも一部を含む。
【００３５】
例２では、例１の第二のRRCメッセージが、QCI内スケジューリングが適用されるべきQCIの指示を含む。
【００３６】
例３では、例１または２のいずれか一項の第二のRRCメッセージが、各QoSパラメータの優先度の指示を含む。前記複数のパケットは、各QoSパラメータの優先度に基づいてスケジューリングされる。
【００３７】
例４では、例１ないし３のうちいずれか一項記載の第二のRRCメッセージが、スケジューリングが適用されるべきトラフィック方向の指示を含み、スケジューリングされる前記複数のパケットはそのトラフィック方向に通信された。
【００３８】
例５では、例１ないし４のうちいずれか一項記載の第二のRRCメッセージが各フローの分類情報および優先度の指示を含み、前記分類情報は、前記トラフィックを前記フローに分類するために使われ、前記複数のパケットは各フローの優先度に基づいてスケジューリングされる。
【００３９】
例６では、例１ないし５のうちいずれか一項記載の前記命令が前記プロセッサによって実行されるとき、UEに、前記QoSパラメータの一つまたは複数を更新する第三のメッセージをeNBに送信させる。
【００４０】
例７では、例１ないし６のうちいずれか一項記載の前記命令が前記プロセッサによって実行されるとき、UEに、QCI内スケジューリングが非アクティブ化されるべきであることを示す第三のメッセージをeNBに送信させる。
【００４１】
例８では、例１ないし７のうちいずれか一項記載の前記UEが送信機および受信機コンポーネントを含むトランシーバと、複数のアンテナであって、前記複数のアンテナの第一のアンテナは前記送信機に結合されており、前記複数のアンテナの第二のアンテナは前記受信機に結合されている、アンテナと、表示タッチスクリーンと、キーボードとを含む。
【００４２】
例９は、QCI内資源割り当てをサポートする方法である。本方法は、基地局において、モバイル・ユーザー装置から制御メッセージを受信することを含む。モバイル・ユーザー装置からの制御メッセージは、QCI内資源割り当てがアクティブ化されるべきであることを示す。モバイル・ユーザー装置からの制御メッセージは、QCI内資源割り当てが適用されるべきQCIの指示、該QCIにおける複数のフローについての分類情報および各フローについてのQoSパラメータを含む。本方法は、基地局が、複数のパケットのそれぞれを前記複数のフローのうちのどれに分類するかを、前記分類情報に基づいて同定することを含む。本方法は、前記QoSパラメータおよび各パケットがどのフローに分類されたかに基づいて、前記複数のパケットをスケジューリングすることを含む。
【００４３】
例１０では、例９の方法は、基地局によって、制御メッセージをモバイル・ユーザー装置に送信することを含む。モバイル・ユーザー装置への制御メッセージは、基地局がQCI内資源割り当てをサポートすることを示す。
【００４４】
例１１では、例９または１０のモバイル・ユーザー装置からの制御メッセージが各QoSパラメータの優先度を含む。前記複数のパケットをスケジューリングすることは、まず最高の優先度のQoSパラメータを満足させるよう試み、最後に最低の優先度のQoSパラメータを満足させるよう試みることを含む。
【００４５】
例１２では、例９ないし１１のうちいずれか一項記載のスケジューリングは、最低優先度のQoSパラメータを満足させることなく、最高の優先度のQoSパラメータを満足させることを含む。
【００４６】
例１３では、例９ないし１２のうちいずれか一項記載のモバイル・ユーザー装置からの制御メッセージが、各フローの優先度の指示を含む。前記複数のパケットをスケジューリングすることは、高優先度のフロー内のパケットを優先させることを含む。
【００４７】
例１４では、例９ないし１３のうちいずれか一項記載のモバイル・ユーザー装置からの制御メッセージは、トラフィック方向の指示を含み、スケジュールされる前記複数のパケットはそのトラフィック方向に進むものである。
【００４８】
例１５では、例９ないし１４のうちいずれか一項記載の方法は追加的な制御メッセージを受領することを含む。追加的な制御メッセージは、複数の更新されたフローについての更新された分類情報を含む。本方法は、複数の追加的なパケットを前記複数の更新されたフローのどれに分類するかを同定することを含む。
【００４９】
例１６では、例９ないし１５のうちいずれか一項記載の方法は追加的な制御メッセージを受領することを含む。追加的な制御メッセージは、各フローについての更新されたQoSパラメータを含む。本方法は、更新されたQoSパラメータに基づいて複数の追加的なパケットをスケジューリングすることを含む。
【００５０】
例１７では、例９ないし１６のうちいずれか一項記載の方法は、追加的な制御メッセージを受領することを含む。追加的な制御メッセージは、QCI内資源割り当てが非アクティブ化されるべきであることを示す。本方法は、デフォルトのスケジューリング・アルゴリズムに従って複数の追加的なパケットをスケジューリングすることを含む。
【００５１】
例１８は、クラス内スケジューリングを確立するための装置である。本装置は、あらかじめ定義されたクラスのトラフィックが複数のサブグループに分割され、サブグループに基づいてスケジューリングされるべきであることをリモート無線機（remote  radio）に対して示すよう構成されたローカル無線機を含む。ローカル無線機は、リモート無線機に対して、前記トラフィックを前記複数のサブグループに分割するための基準を示すよう構成されている。ローカル無線機は、前記複数のサブグループに分割され、サブグループに基づいてスケジューリングされた複数のメッセージを受信するよう構成されている。前記複数のメッセージは前記リモート無線機から受信される。
【００５２】
例１９では、例１８のローカル無線機は、リモート無線機に対して、各サブグループについての一つまたは複数のスケジューリング・パラメータを示すよう構成されている。前記複数のメッセージは、各サブグループについての前記一つまたは複数のスケジューリング・パラメータに基づいてスケジューリングされる。
【００５３】
例２０では、例１８または１９記載のローカル無線機は、前記トラフィックを前記複数のサブグループに分割するための基準を示すよう構成されている。前記基準は、インターネット・プロトコル・スイート・プロトコルからの識別情報を含む。
【００５４】
例２１では、例１８ないし２０のうちいずれか一項記載のローカル無線機は、各サブグループについて優先度を示すよう構成されている。前記複数のメッセージは各サブグループについての優先度に基づいてスケジューリングされる。
【００５５】
例２２では、電波アクセスネットワークが例１８ないし２１のうちいずれか一項記載のリモート無線機を含む。
【００５６】
例２３では、例１８ないし２２のうちいずれか一項記載のローカル無線機は、複数の上りリンク・メッセージを前記複数のサブグループに分割し、該上りリンク・メッセージをサブグループに基づいて送信のためにスケジューリングするよう構成されている。
【００５７】
例２４は、eUTRANと通信するときにQCI内資源割り当てをサポートする方法である。本方法は、UEにおいて、eNBがQCI内スケジューリングをサポートすることを示すeNBからの第一のRRCメッセージを受信することを含む。本方法は、UEによって、QCI内スケジューリングがアクティブ化されるべきであることを示す第二のRRCメッセージをeNBに送信することを含む。第二のRRCメッセージは、トラフィックを分類するためのいくつかのフローと、各フローについてのQoSパラメータとを示す。本方法は、データを送信および受信することを含む。QoSパラメータに基づいて複数のパケットがスケジューリングされる。前記複数のパケットは前記データの少なくとも一部を含む。
【００５８】
例２５では、例２４の第二のRRCメッセージは、QCI内スケジューリングが適用されるべきQCIの指示を含む。
【００５９】
例２６では、例２４または２５の第二のRRCメッセージは、各QoSパラメータの優先度の指示を含む。前記複数のパケットは、各QoSパラメータの優先度に基づいてスケジューリングされる。
【００６０】
例２７では、例２４ないし２６のうちいずれか一項記載の第二のRRCメッセージは、スケジューリングが適用されるべきトラフィック方向の指示を含む。スケジューリングされる前記複数のパケットは、そのトラフィック方向に通信された。
【００６１】
例２８では、例２４ないし２７のうちいずれか一項記載の第二のRRCメッセージは、各フローの分類情報および優先度の指示を含む。分類情報は、前記トラフィックを前記フローに分類するために使われる。前記複数のパケットは、各フローの優先度に基づいてスケジューリングされる。
【００６２】
例２９では、例２４ないし２８のうちいずれか一項記載の方法は、QoSパラメータの一つまたは複数を更新する第三のメッセージをeNBに送信することを含む。
【００６３】
例３０では、例２４ないし２９のうちいずれか一項記載の方法は、QCI内スケジューリングが非アクティブ化されるべきであることを示す第四のメッセージをeNBに送信することを含む。
【００６４】
例３１は、QCI内資源割り当てをサポートする方法である。本方法は、基地局において、モバイル・ユーザー装置から制御メッセージを受信することを含む。モバイル・ユーザー装置からの制御メッセージは、QCI内資源割り当てがアクティブ化されるべきであることを示す。モバイル・ユーザー装置からの制御メッセージは、QCI内資源割り当てが適用されるべきQCIの指示、該QCIにおける複数のフローについての分類情報および各フローについてのQoSパラメータを含む。本方法は、基地局が、複数のパケットのそれぞれを前記複数のフローのうちのどれに分類するかを、前記分類情報に基づいて同定することを含む。本方法は、前記QoSパラメータおよび各パケットがどのフローに分類されたかに基づいて、前記複数のパケットをスケジューリングすることを含む。
【００６５】
例３２では、例３１の方法は、基地局によって、制御メッセージをモバイル・ユーザー装置に送信することを含む。モバイル・ユーザー装置への制御メッセージは、基地局がQCI内資源割り当てをサポートすることを示す。
【００６６】
例３３では、例３１または３２のモバイル・ユーザー装置からの制御メッセージが各QoSパラメータの優先度を含む。前記複数のパケットをスケジューリングすることは、まず最高の優先度のQoSパラメータを満足させるよう試み、最後に最低の優先度のQoSパラメータを満足させるよう試みることを含む。
【００６７】
例３４では、例３１ないし３３のうちいずれか一項記載のスケジューリングは、最低優先度のQoSパラメータを満足させることなく、最高の優先度のQoSパラメータを満足させることを含む。
【００６８】
例３５では、例３１ないし３４のうちいずれか一項記載のモバイル・ユーザー装置からの制御メッセージが、各フローの優先度の指示を含む。前記複数のパケットをスケジューリングすることは、高優先度のフロー内のパケットを優先させることを含む。
【００６９】
例３６では、例３１ないし３５のうちいずれか一項記載のモバイル・ユーザー装置からの制御メッセージは、トラフィック方向の指示を含み、スケジュールされる前記複数のパケットはそのトラフィック方向に進むものである。
【００７０】
例３７は、例２４ないし３６のうちいずれか一項記載の方法を実行する手段を含む装置である。
【００７１】
例３８は、実行されたときに例２４ないし３７のうちいずれか一項記載の方法を実装するまたは装置を実現する機械可読命令を含む機械可読記憶である。
【００７２】
さまざまな技法またはそのある種の側面もしくは部分は、フロッピーディスケット、CD-ROM、ハードドライブ、非一時的なコンピュータ可読記憶媒体または他の任意の機械可読記憶媒体といった有体な媒体において具現されているプログラム・コード（すなわち命令）の形を取りうる。ここで、前記プログラム・コードがコンピュータのような機械にロードされて実行されるとき、該機械は前記さまざまな技法を実施するための装置になる。プログラム可能なコンピュータ上でのプログラム・コード実行の場合、コンピューティング装置はプロセッサ、該プロセッサによって読み取り可能な記憶媒体（揮発性および不揮発性のメモリおよび／または記憶要素を含む）、少なくとも一つの入力装置および少なくとも一つの出力装置を含んでいてもよい。揮発性および不揮発性メモリおよび／または記憶要素は、RAM、EPROM、フラッシュドライブ、光ドライブ、磁気ハードドライブまたは電子データを記憶するための他の媒体であってもよい。eNB（または他の基地局）およびUE（または他の移動局）はトランシーバ・コンポーネント、カウンタ・コンポーネント、処理コンポーネントおよび／またはクロック・コンポーネントもしくはタイマー・コンポーネントをも含んでいてもよい。本稿に記載されるさまざまな技法を実装または利用しうる一つまたは複数のプログラムは、アプリケーション・プログラミング・インターフェース（API）、再利用可能なコントロールなどを使ってもよい。そのようなプログラムは、コンピュータ・システムと連絡するために、高レベルの手続き型またはオブジェクト指向型のプログラミング言語で実装されてもよい。しかしながら、プログラムは、望むならアセンブリーまたは機械語で実装されてもよい。いずれにせよ、言語はコンパイルされるまたはインタープリットされる言語であってもよく、ハードウェア実装と組み合わされてもよい。
【００７３】
本明細書に記載された機能ユニットの多くは一つまたは複数のコンポーネントとして実装されてもよいことは理解しておくべきである。コンポーネントというのは、実装に依存しないことをより具体的に強調するために使われる用語である。たとえば、コンポーネントは、カスタムの超大規模集積（VLSI）回路またはゲート・アレイ、論理チップのような市販の半導体、トランジスタまたは他の離散コンポーネントを含むハードウェア回路として実装されてもよい。コンポーネントは、フィールド・プログラマブル・ゲート・アレイ、プログラマブル・アレイ論理、プログラマブル論理デバイスなどといったプログラム可能なハードウェア装置において実装されてもよい。
【００７４】
コンポーネントは、さまざまな型のプロセッサによる実行のためのソフトウェアにおいて実装されてもよい。実行可能なコードの同定されたコンポーネントは、たとえばオブジェクト、プロシージャーまたは関数として編成されていてもよい、たとえばコンピュータ命令の一つまたは複数の物理的または論理的なブロックを含んでいてもよい。にもかかわらず、同定されたコンポーネントの実行可能物は物理的に一緒のところにある必要はなく、異なる位置に記憶されている分離した命令であって、論理的に一緒に統合されたときに前記コンポーネントをなし、該コンポーネントについての述べられた目的を達成するものを含んでいてもよい。
【００７５】
実際、実行可能コードのコンポーネントは単一の命令であってもよく、あるいは多くの命令であってもよく、いくつかの異なるコード・セグメントに、異なるプログラムの間に、またいくつかのメモリ装置を横断して、分散されていてさえもよい。同様に、演算データが本稿においてはコンポーネント内に同定され、図示されることがあるが、いかなる好適な形で具現されてもよく、いかなる好適な型のデータ構造内に編成されてもよい。演算データは、単一のデータ・セットとして集められてもよく、あるいは異なる記憶装置上を含め異なる位置にわたって分散されてもよく、少なくとも部分的には、単にシステムまたはネットワーク上の電子的な信号として存在してもよい。コンポーネントは、所望される機能を実行するよう動作可能なエージェントを含め、受動的または能動的でありうる。
【００７６】
本明細書を通じて「例」への言及は、その例との関連で記載される特定の特徴、構造または特性が本開示の少なくとも一つの実施形態に含まれることを意味する。よって、本明細書を通じて随所で「一例では」という句が現われることは、必ずしもみなが同じ実施形態を指しているのではない。
【００７７】
本稿での用法では、複数の項目、構造要素、構成要素および／または材料が便宜上、共通のリストにおいて呈示されることがある。しかしながら、これらのリストは、該リストの各要素が別個の一意的な要素として個々に同定されているかのように解釈されるべきである。よって、そのようなリストの個々の要素は、そうでないという指示なしに単に共通のグループにおける呈示のみに基づいて、同じリストの他のいずれかの要素の事実上の等価物として解釈されるべきではない。さらに、本開示のさまざまな実施形態および例は本稿では、そのさまざまなコンポーネントの代替とともに言及されることがある。そのような実施形態、例および代替は、互いの事実上の等価物として解釈されるものではなく、本開示の別個の自律的な表現と考えられるものであることは理解される。
【００７８】
上記は、明確のためいくぶん詳細に記載されているが、その原理から外れることなく、何らかの変更および修正がなされてもよいことは明白であろう。本稿に記載されるプロセスおよび装置両方を実装する多くの代替的な仕方があることは注意しておくべきである。よって、本願の実施形態は例解するものであって、制約するものではないと考えられるべきであり、本開示は、本稿で与えられる詳細に限定されるものではなく、付属の請求項の範囲および等価物の範囲内で修正されうるものである。
【００７９】
当業者は、本開示の根底にある原理から外れることなく、上記の実施形態の詳細に対して多くの変更をなしうることを理解するであろう。したがって、本願の範囲は付属の請求項によってのみ決定されるべきである。
いくつかの態様を記載しておく。
〔態様１〕
進化型万国地上波電波アクセス・ネットワーク（eUTRAN）と通信するよう構成されたユーザー装置（UE）であって：
プロセッサと、
前記プロセッサと結合されたメモリとを有し、前記メモリは命令を記憶しており、前記命令は、前記プロセッサによって実行されたときに、当該UEに、
eUTRANノードB（eNB）がサービス品質（QoS）クラス識別子（QCI）内スケジューリングをサポートすることを示すeNBからの第一の電波資源制御（RRC）メッセージを受信する段階と；
QCI内スケジューリングがアクティブ化されるべきであることを示す第二のRRCメッセージをeNBに送信する段階であって、前記第二のRRCメッセージは、トラフィックを分類するためのいくつかのフローおよび各フローについてのQoSパラメータを示す、段階と；
データを送信および受信する段階であって、複数のパケットが前記QoSパラメータに基づいてスケジューリングされ、前記複数のパケットは前記データの少なくとも一部を含む、段階とを実行させるものである、
UE。
〔態様２〕
前記第二のRRCメッセージが、QCI内スケジューリングが適用されるべきQCIの指示を含む、態様１記載のUE。
〔態様３〕
前記第二のRRCメッセージが、各QoSパラメータの優先度の指示を含み、前記複数のパケットは、各QoSパラメータの優先度に基づいてスケジューリングされる、態様１記載のUE。
〔態様４〕
前記第二のRRCメッセージが、スケジューリングが適用されるべきトラフィック方向の指示を含み、スケジューリングされる前記複数のパケットはそのトラフィック方向に通信された、態様１記載のUE。
〔態様５〕
前記第二のRRCメッセージが各フローの分類情報および優先度の指示を含み、前記分類情報は、前記トラフィックを前記フローに分類するために使われ、前記複数のパケットは各フローの優先度に基づいてスケジューリングされる、態様１記載のUE。
〔態様６〕
前記命令は、前記プロセッサによって実行されるとき、当該UEに、前記QoSパラメータの一つまたは複数を更新する第三のメッセージをeNBに送信させる、態様１記載のUE。
〔態様７〕
前記命令は、前記プロセッサによって実行されるとき、当該UEに、QCI内スケジューリングが非アクティブ化されるべきであることを示す第三のメッセージをeNBに送信させる、態様１記載のUE。
〔態様８〕
送信機および受信機コンポーネントを含むトランシーバと；
複数のアンテナであって、前記複数のアンテナの第一のアンテナは前記送信機に結合されており、前記複数のアンテナの第二のアンテナは前記受信機に結合されている、アンテナと；
表示タッチスクリーンと；
キーボードとをさらに有する、
態様１記載のUE。
〔態様９〕
サービス品質（QoS）クラス識別子（QCI）内資源割り当てをサポートする方法であって：
基地局において、モバイル・ユーザー装置から制御メッセージを受信する段階であって、前記モバイル・ユーザー装置からの前記制御メッセージは、QCI内資源割り当てがアクティブ化されるべきであることを示し、前記モバイル・ユーザー装置からの前記制御メッセージは：
QCI内資源割り当てが適用されるべきQCIの指示、
前記QCIにおける複数のフローについての分類情報および
各フローについてのQoSパラメータを含む、段階と；
基地局が、複数のパケットのそれぞれを前記複数のフローのうちのどれに分類するかを、前記分類情報に基づいて同定する段階と；
前記QoSパラメータおよび各パケットがどのフローに分類されたかに基づいて、前記複数のパケットをスケジューリングする段階とを含む、
方法。
〔態様１０〕
基地局によって、制御メッセージを前記モバイル・ユーザー装置に送信する段階をさらに含み、前記モバイル・ユーザー装置への前記制御メッセージは、基地局がQCI内資源割り当てをサポートすることを示す、態様９記載の方法。
〔態様１１〕
前記モバイル・ユーザー装置からの前記制御メッセージが各QoSパラメータの優先度をさらに含み、前記複数のパケットをスケジューリングすることは、まず最高の優先度のQoSパラメータを満足させるよう試み、最後に最低の優先度のQoSパラメータを満足させるよう試みることを含む、態様９記載の方法。
〔態様１２〕
スケジューリングが、最低優先度のQoSパラメータを満足させることなく、最高の優先度のQoSパラメータを満足させることを含む、態様１１記載の方法。
〔態様１３〕
前記モバイル・ユーザー装置からの前記制御メッセージが、各フローの優先度の指示を含み、前記複数のパケットをスケジューリングすることが、高優先度のフロー内のパケットを優先させることを含む、態様９記載の方法。
〔態様１４〕
前記モバイル・ユーザー装置からの前記制御メッセージが、トラフィック方向の指示を含み、スケジュールされる前記複数のパケットはそのトラフィック方向に進むものである、態様９記載の方法。
〔態様１５〕
追加的な制御メッセージを受領する段階をさらに含み、前記追加的な制御メッセージは、複数の更新されたフローについての更新された分類情報を含み、当該方法は、複数の追加的なパケットを前記複数の更新されたフローのどれに分類するかを同定する段階をさらに含む、態様９記載の方法。
〔態様１６〕
追加的な制御メッセージを受領する段階をさらに含み、前記追加的な制御メッセージは、各フローについての更新されたQoSパラメータを含み、当該方法は、更新されたQoSパラメータに基づいて複数の追加的なパケットをスケジューリングする段階をさらに含む、態様９記載の方法。
〔態様１７〕
追加的な制御メッセージを受領する段階をさらに含み、前記追加的な制御メッセージは、QCI内資源割り当てが非アクティブ化されるべきであることを示し、当該方法は、デフォルトのスケジューリング・アルゴリズムに従って複数の追加的なパケットをスケジューリングする段階をさらに含む、態様９記載の方法。
〔態様１８〕
クラス内スケジューリングを確立するための装置であって、当該装置はローカル無線機を有し、該ローカル無線機は：
あらかじめ定義されたクラスのトラフィックが複数のサブグループに分割され、サブグループに基づいてスケジューリングされるべきであることをリモート無線機に対して示し；
前記リモート無線機に対して、前記トラフィックを前記複数のサブグループに分割するための基準を示し；
前記複数のサブグループに分割され、サブグループに基づいてスケジューリングされた複数のメッセージを受信するよう構成されており、前記複数のメッセージは前記リモート無線機から受信される、
装置。
〔態様１９〕
前記ローカル無線機は、前記リモート無線機に対して、各サブグループについての一つまたは複数のスケジューリング・パラメータを示すよう構成されており、前記複数のメッセージは、各サブグループについての前記一つまたは複数のスケジューリング・パラメータに基づいてスケジューリングされる、態様１８記載の装置。
〔態様２０〕
前記ローカル無線機は、前記トラフィックを前記複数のサブグループに分割するための基準を示すよう構成されており、前記基準は、インターネット・プロトコル・スイート・プロトコルからの識別情報を含む、態様１８記載の装置。
〔態様２１〕
前記ローカル無線機は、各サブグループについて優先度を示すよう構成されており、前記複数のメッセージは各サブグループについての優先度に基づいてスケジューリングされる、態様１８記載の装置。
〔態様２２〕
前記リモート無線機を電波アクセスネットワークが含む、態様１８記載の装置。
〔態様２３〕
前記ローカル無線機は、複数の上りリンク・メッセージを前記複数のサブグループに分割し、該上りリンク・メッセージをサブグループに基づいて送信のためにスケジューリングするよう構成されている、態様１８記載の装置。
【図１】
0006318262.tif 000002
【図２】
0006318262.tif 000003
【図３】
0006318262.tif 000004
【図４】
0006318262.tif 000005
【図５】
0006318262.tif 000006
【図６】
0006318262.tif 000007
【図７】
0006318262.tif 000008